(57)【要約】【課題】ビームの光量を無駄にしない発光キーボードを提供する。【解決手段】複数のキー、薄膜スイッチ回路と、ビームを発生させるために用いられる発光モジュールを含む。薄膜スイッチ回路はキーによって触発させられることによって信号を発生させ、且つ、薄膜スイッチ回路は複数の導光領域を含み、複数の導光領域のうちの少なくとも一つの導光領域は導光構造を有し、且つ、少なくとも一つの導光領域のうちのキーに対応するキー接続点の位置には導光構造を設けない。したがって、発光モジュールが発生させるビームはキー接続点によってブロックされず、無駄にされない。【選択図】図８
2013097780.tif 000002
【特許請求の範囲】
【請求項１】
発光キーボードであって、
複数のキーと、
複数のキー接続点を有すると共にそれぞれの前記キー接続点は前記キーに対応する薄膜スイッチ回路と、
前記薄膜スイッチ回路の一側に位置され、複数のビームを発生させるために用いられる発光モジュールと、
前記薄膜スイッチ回路に重ね合わせられると共に、前記薄膜スイッチ回路の下方に位置される導光板とを含み、
前記導光板は、前記導光板の底面上に位置される複数の導光領域をさらに含み、且つ前記複数の導光領域のうちの少なくとも一つの導光領域は導光構造を有し、前記導光構造は対応する前記キー接続点の下方に位置され、前記複数のビームが前記複数のキーに投射させられるよう案内させるために用いられ、
ここでは、前記少なくとも一つの導光領域のうちの前記キー接続点に対応する位置には前記導光構造を設けないことを特徴とする、発光キーボード。
【請求項２】
前記導光構造は導光インクによって形成され、且つ、前記導光構造は前記導光インクが前記少なくとも一つの導光領域上に並べられられることによって形成される導光層か、或いは、前記導光インクが前記少なくとも一つの導光領域上に均一に分布されられることによって形成される導光メッシュであることを特徴とする、請求項１に記載の発光キーボード。
【請求項３】
前記導光板は前記導光板の前記底面上に位置される複数の別な導光領域をさらに含み、且つ、その少なくとも一つの別な導光領域は前記キー接続点に隣接させられ、
前記少なくとも一つの別な導光領域は、前記複数のビームを前記複数のキーに投射させるよう案内させるために用いられる別な導光構造を有すると共に、前記少なくとも一つの別な導光領域のうちの前記キー接続点に対応する位置には前記別な導光構造を設けないことを特徴とする、請求項１に記載の発光キーボード。
【請求項４】
前記薄膜スイッチ回路と前記発光モジュールに接続され、電源を前記薄膜スイッチ回路と前記発光モジュールに提供させるために用いられるメイン回路基板と、
前記導光板の下方に設けられ、前記複数のキー、前記薄膜スイッチ回路、前記発光モジュール、前記導光板と、前記メイン回路基板を搭載させるために用いられるベースと、
をさらに含むことを特徴とする、請求項１に記載の発光キーボード。
【請求項５】
前記発光モジュールは、
前記薄膜スイッチ回路の前記側面に位置され、別な電源を提供させるために用いられる発光回路基板と、
前記発光回路基板上に設けられ、且つ、前記別な電源により前記複数のビームを発生させる複数の発光部材と、
を含むことを特徴とする、請求項１に記載の発光キーボード。
【請求項６】
前記薄膜スイッチ回路は、
複数の上端接続点を有する上部回路基板と、
前記上部回路基板の下方に位置され、前記複数の上端接続点に対応し、前記薄膜スイッチ回路が押された時に、前記複数の上端接続点を伸び込ませるために用いられる複数の仕切り層開孔部を有する仕切り層と、
前記仕切り層の下方に位置され、前記複数の上端接続点に対応し、前記複数の上端接続点と前記複数のキー接続点を形成させる複数の下端接続点を有する下部回路基板と、
を含むことを特徴とする、請求項１に記載の発光キーボード。
【請求項７】
発光キーボードであって、
複数のキーと、
前記すべてのキーにそれぞれ対応する複数のキー接続点と複数の導光領域を有する薄膜スイッチ回路であって、前記複数の導光領域は前記薄膜スイッチ回路の底面に位置され、且つ、前記複数の導光領域のうちの前記少なくとも一つの導光領域は対応するキー接続点の下方に位置される導光構造を有し、前記導光構造は前記複数のビームを前記複数のキーに投射させるよう案内させるために用いられる前記薄膜スイッチ回路と、
前記薄膜スイッチ回路の片側に位置され、複数のビームを発生させ、且つ、前記複数のビームを前記複数の導光領域に投射させ、前記複数のキーへと導かせるために用いられる発光モジュールと、
を含み、
ここでは、前記少なくとも一つの導光領域のうちの前記キー接続点に対応する位置には導光構造を設けないことを特徴とする、発光キーボード。
【請求項８】
前記導光構造は導光インクによって形成され、且つ、前記導光構造は前記導光インクが前記少なくとも一つの導光領域上に並べられることによって形成される導光層か、或いは、前記導光インクが前記少なくとも一つの導光領域上に均一に分布させられることによって形成される導光メッシュであることを特徴とする、請求項７に記載の発光キーボード。
【請求項９】
前記薄膜スイッチ回路は前記薄膜スイッチ回路の前記底面上に位置される複数の別な導光領域をさらに含み、且つ、前記複数の別な導光領域のうちの少なくとも一つの別な導光領域は前記キー接続点に隣接させられると共に、前記複数のビームを前記複数のキーに投射させるよう導かせるために用いられる別な導光構造を有し、
前記少なくとも一つの別な導光領域のうちの前記キー接続点に対応する位置には前記別な導光構造を設けないことを特徴とする、請求項７に記載の発光キーボード。
【請求項１０】
前記薄膜スイッチ回路は、
複数の上端接続点を有する上部回路基板と、
前記上部回路基板の下方に位置され、前記複数の上端接続点に対応し、前記薄膜スイッチ回路が押された時に、前記複数の上端接続点を伸び込ませるために用いられる複数の仕切り層開孔部を有する仕切り層と、
前記仕切り層の下方に位置され、前記複数の上端接続点に対応する下端接続点と前記複数の導光領域を有し、前記複数の下端接続点と前記複数の上端接続点は前記複数のキー接続点として形成され、且つ、前記複数の導光領域がその底面上に設けられている下部回路基板と、
を含むことを特徴とする、請求項７に記載の発光キーボード。
【請求項１１】
前記薄膜スイッチ回路と前記発光モジュールに接続され、電源を前記薄膜スイッチ回路と前記発光モジュールに提供させるために用いられるメイン回路基板と、
前記導光板の下方に設けられ、複数の前記キーと前記薄膜スイッチ回路を搭載させるために用いられるベースと、
をさらに含むことを特徴とする、請求項７に記載の発光キーボード。
【請求項１２】
すべての前記キーは、
前記発光キーボードの表面を被覆し、且つ、すべての前記導光領域に対応する透光領域を有するキーキャップと、
前記底板と前記キーキャップの間に位置され、前記透光中間フレームと前記キーキャップを接続させ、前記キーキャップが前記底板に対して上下に移動するようにさせるために用いられるはさみ式接合部材と、
前記薄膜スイッチ回路と前記キーキャップの間に位置され、前記キーキャップが押された時、押し縮められ前記薄膜スイッチ回路と当接させられ、前記上端接続点と前記下端接続点を接触させ、前記キーキャップが押されなくなった時、弾性力を前記キーキャップに提供し、前記キーキャップを元の位置に戻させる弾性体と、
を含むことを特徴とする、請求項１１に記載の発光キーボード。
【請求項１３】
前記発光モジュールは、
前記薄膜スイッチ回路の前記側面に位置され、別な電源を提供させるために用いられる発光回路基板と、
前記発光回路基板上に設けられ、且つ、前記別な電源により前記複数のビームを発生させる複数の発光部材と、
を含むことを特徴とする、請求項７に記載の発光キーボード。
【発明の詳細な説明】
【技術分野】
【０００１】
本発明は、キーボードに関し、より詳しくは、発光機能を有する発光キーボードに関する。
【背景技術】
【０００２】
キーボードはよく用いられるコンピュータの周辺装置であり、文字や指令をコンピュータに入力させるために用いられる。図１の周知のキーボードの外観構造概略図を参照されたい。周知のキーボード１の表面上には複数のキー１０があり、前記これらキー１０は一般キー１０１、数字キー１０２とファンクションキー１０３などに分類され、前記これらのキーはユーザーが指で押すことにより、対応する信号をコンピュータに発生させ、コンピュータに押されたキーの機能を実行させ、例えば、一般キー１０１はアルファベットなどの符号を入力させるために用いられ、数字キー１０２は数字を入力するために用いられ、ファンクションキー１０３は各種機能を提供するために用いられ、例えば、Ｆ１〜Ｆ１２などがある。
【０００３】
技術の革新に伴い、キーボードメーカーは各種特殊機能を有するキーボードを研究開発し、異なるユーザーの各種要求を満足させるよう努力しており、発光機能を有する発光キーボードがその一例である。周知の発光キーボードの外観と周知のキーボード１の外観はほとんど同じであるが、発光キーボードはキーに発光の機能を提供させるため、その内部構造と周知の発光しないキーボードは異なる。
以下、周知の発光キーボードの内部構造を説明する。図２の周知の発光キーボードの構造断面概略図を参照されたい。周知の発光キーボード２は複数のキー２０、薄膜スイッチ回路２１、導光板２２、発光モジュール２３、メイン回路基板２４、反射シート２５とベース２６を含む。キー２０はキーキャップ２０１、キーケース体２０２と弾性体２０３を含む。周知の発光キーボード２では、上述の各部材は上から下の順番で、キーキャップ２０１、キーケース体２０２、弾性体２０３、薄膜スイッチ回路２１、導光板２２、反射シート２５とベース２６となっていて、メイン回路基板２４は薄膜スイッチ回路２２の一側に位置され、発光モジュール２３は薄膜スイッチ回路２２の別の一側に位置される。
【０００４】
キー２０のうち、キーキャップ２０１は周知の発光キーボード２の外に露呈されているので、ユーザーに押されることが可能で、キーケース体２０２はキーキャップ２０１と弾性体２０３を固定させるために用いられ、弾性体２０３はキーケース体２０２を貫くと共にキーキャップ２０１と薄膜スイッチ回路２１のそれぞれと接触する。薄膜スイッチ回路２１は上部回路基板２１１、仕切り層２１２と下部回路基板２１３を含み、ここでは、上部回路基板２１１、仕切り層２１２と下部回路基板２１３はどれも透明な材質によって製造され、透明な材質とは、ポリカーボネート（Ｐｏｌｙｃａｒｂｏｎａｔｅ，ＰＣ）や、ポリエチレン（ｐｏｌｙｅｔｈｙｌｅｎｅ，ＰＥ）などの材質である。
上部回路基板２１１は複数の上端接続点２１１１を有し、仕切り層２１２は上部回路基板２１１の下方に位置されると共に、複数の上端接続点２１１１に対応する複数の仕切り層開孔部２１２１を有し、下部回路基板２１４は仕切り層２１２の下方に位置され、複数の上端接続点２１１１に対応する複数の下端接続点２１３１を有し、複数の上端接続点２１１１と複数のキー接続点を形成させる。これ以外に、薄膜スイッチ回路２１はメイン回路基板２４に接続され、電源と信号を伝達させる。
【０００５】
発光モジュール２３は発光回路基板２３１と複数の発光部材２３２（図中では一つだけ示されている）を含み、発光回路基板２３１は薄膜スイッチ回路２１の別の一側に位置され、別な電源を複数の発光部材２３２に提供させるために用いられ、複数の発光部材２３２は発光回路基板２３１上に設けられ、別な電源により複数のビームを発生させる。導光板２２は複数の導光領域２２１を有し、且つ、それぞれの導光領域２２１上には複数の導光メッシュ２２１１があり、ここでは、複数の導光メッシュ２２１１はどれもそれぞれの導光領域２２１上に均等に分布され、且つ、それぞれの導光領域２２１はすべて複数の隙間Ｇ（図３では一つだけ示されている）を有する。
複数の導光メッシュ２２１１は複数のビームを案内し、これをキーキャップ２０１に投射させるために用いられ、導光メッシュ２２１１の形成過程は以下の通りである：複数の細かい穴を有する網板を導光板２２の底面２２２にかぶせ、導光インクを網板中に流し込み、導光インクが複数の細かい穴によって、導光板２２の底面２２２上に流れ込むようにさせ、導光インクに対して印刷プロセスを行い、導光インクがその底面２２２上に複数の導光メッシュ２２１１を形成するようにさせる。複数の細かい穴を有する網板によって形成される導光領域２２１は複数の導光メッシュ２２１１を含み、且つ、すべての導光メッシュ２２１１の間には隙間Ｇがあり、図３のように示される。
【０００６】
図２では、周知の発光キーボード２の反射シート２５は導光板２２の下方に位置され、複数のビームを反射させるために用いられ、ベース２６は反射シート２５の下方に位置され、キーキャップ２０１、キーケース体２０２、弾性体２０３、薄膜スイッチ回路２１、導光板２２と反射シート２５を搭載させるために用いられる。
【０００７】
これ以外に、周知の発光キーボード２では、キーキャップ２０１上には透光領域２０１１があり、且つ、透光領域２０１１は文字や符号がある位置であり、ここでは、透光領域２０１１の位置は導光板２２上の導光領域に対応しているので、ビームは導光領域２２１の導光メッシュ２２１１を通り、その透光領域２０１１に案内される。これにより、そのキーキャップ２０１上の文字や符号は光を通し、発光効果を有する。
【発明の概要】
【発明が解決しようとする課題】
【０００８】
しかしながら、前述した従来の技術では周知の発光キーボード２は長時間使用された後では、その複数のキー２０はたびたび押されることにより摩耗してしまい、導光板２２２上の複数の導光メッシュ２２１１はそれぞれの導光メッシュ２２１１の間には隙間Ｇがあるため、それぞれの導光メッシュ２２１１の周辺領域が摩耗させられる確率はかなり高く、その摩耗状況は導光領域２２１の周辺で特にひどい。このため、複数の導光メッシュ２２１１は分布が不均一となり、その導光効果が損なわれる。これ以外に図２からわかるように、垂直方向において、薄膜スイッチ回路２１上のキー接続点と導光メッシュ２２１１の一部は重なり合っているので、導光メッシュ２２１１によって案内されるビームは部分的にキー接続点によって遮断され、そのため、ビームの光量が無駄にされ、そのビーム使用率が損なわれるという問題があった。
【０００９】
本発明は、このような従来の問題に鑑みてなされたものである。上記課題解決のため、本発明は、ビームの光量を無駄にしない発光キーボードを提供することを主目的とする。
【課題を解決するための手段】
【００１０】
上述した課題を解決し、目的を達成するために、好ましい実施形態では、本発明に係る発光キーボードは、
複数のキーと、
複数のキー接続点を有すると共にそれぞれの前記キー接続点は前記キーに対応する薄膜スイッチ回路と、
前記キーに対応するそれぞれのキー接続点を有する薄膜スイッチ回路と、
前記薄膜スイッチ回路の一側に位置され、複数のビームを発生させるために用いられる発光モジュールと、
前記薄膜スイッチ回路に重ね合わせられると共に、前記薄膜スイッチ回路の下方に位置される導光板とを含み、
前記導光板は、前記導光板の底面上に位置される複数の導光領域をさらに含み、且つ前記複数の導光領域のうちの少なくとも一つの導光領域は導光構造を有し、前記導光構造は対応する前記キー接続点の下方に位置され、前記複数のビームが前記複数のキーに投射させられるよう案内させるために用いられ、
ここでは、前記少なくとも一つの導光領域のうちの前記キー接続点に対応する位置には前記導光構造を設けないことを特徴とする。
【００１１】
好ましい実施形態では、前記導光構造は導光インクによって形成され、且つ、前記導光構造は前記導光インクが前記少なくとも一つの導光領域上に並べられられることによって形成される導光層か、或いは、前記導光インクが前記少なくとも一つの導光領域上に均一に分布されられることによって形成される導光メッシュであることを特徴とする。
【００１２】
好ましい実施形態では、前記導光板は前記導光板の前記底面上に位置される複数の別な導光領域をさらに含み、且つ、その少なくとも一つの別な導光領域は前記キー接続点に隣接させられ、
前記少なくとも一つの別な導光領域は、前記複数のビームを前記複数のキーに投射させるよう案内させるために用いられる別な導光構造を有すると共に、前記少なくとも一つの別な導光領域のうちの前記キー接続点に対応する位置には前記別な導光構造を設けないことを特徴とする。
【００１３】
好ましい実施形態では、本発明に係る発光キーボードは、
前記薄膜スイッチ回路と前記発光モジュールに接続され、電源を前記薄膜スイッチ回路と前記発光モジュールに提供させるために用いられるメイン回路基板と、
前記導光板の下方に設けられ、前記複数のキー、前記薄膜スイッチ回路、前記発光モジュール、前記導光板と、前記メイン回路基板を搭載させるために用いられるベースと、
をさらに含むことを特徴とする。
【００１４】
好ましい実施形態では、前記発光モジュールは、
前記薄膜スイッチ回路の前記側面に位置され、別な電源を提供させるために用いられる発光回路基板と、
前記発光回路基板上に設けられ、且つ、前記別な電源により前記複数のビームを発生させる複数の発光部材と、
を含むことを特徴とする。
【００１５】
好ましい実施形態では、前記薄膜スイッチ回路は、
複数の上端接続点を有する上部回路基板と、
前記上部回路基板の下方に位置され、前記複数の上端接続点に対応し、前記薄膜スイッチ回路が押された時に、前記複数の上端接続点を伸び込ませるために用いられる複数の仕切り層開孔部を有する仕切り層と、
前記仕切り層の下方に位置され、前記複数の上端接続点に対応し、前記複数の上端接続点と前記複数のキー接続点を形成させる複数の下端接続点を有する下部回路基板と、
を含むことを特徴とする。
【００１６】
好ましい実施形態では、本発明の発光キーボードは、
複数のキーと、
前記すべてのキーにそれぞれ対応する複数のキー接続点と複数の導光領域を有する薄膜スイッチ回路であって、前記複数の導光領域は前記薄膜スイッチ回路の底面に位置され、且つ、前記複数の導光領域のうちの前記少なくとも一つの導光領域は対応するキー接続点の下方に位置される導光構造を有し、前記導光構造は前記複数のビームを前記複数のキーに投射させるよう案内させるために用いられる前記薄膜スイッチ回路と、
前記薄膜スイッチ回路の片側に位置され、複数のビームを発生させ、且つ、前記複数のビームを前記複数の導光領域に投射させ、前記複数のキーへと導かせるために用いられる発光モジュールと、
を含み、
ここでは、前記少なくとも一つの導光領域のうちの前記キー接続点に対応する位置には導光構造を設けないことを特徴とする。
【００１７】
好ましい実施形態では、前記導光構造は導光インクによって形成され、且つ、前記導光構造は前記導光インクが前記少なくとも一つの導光領域上に並べられることによって形成される導光層か、或いは、前記導光インクが前記少なくとも一つの導光領域上に均一に分布させられることによって形成される導光メッシュであることを特徴とする。
【００１８】
好ましい実施形態では、前記薄膜スイッチ回路は前記薄膜スイッチ回路の前記底面上に位置される複数の別な導光領域をさらに含み、且つ、前記複数の別な導光領域のうちの少なくとも一つの別な導光領域は前記キー接続点に隣接させられると共に、前記複数のビームを前記複数のキーに投射させるよう導かせるために用いられる別な導光構造を有し、
前記少なくとも一つの別な導光領域のうちの前記キー接続点に対応する位置には前記別な導光構造を設けないことを特徴とする。
【００１９】
好ましい実施形態では、前記薄膜スイッチ回路は、
複数の上端接続点を有する上部回路基板と、
前記上部回路基板の下方に位置され、前記複数の上端接続点に対応し、前記薄膜スイッチ回路が押された時に、前記複数の上端接続点を伸び込ませるために用いられる複数の仕切り層開孔部を有する仕切り層と、
前記仕切り層の下方に位置され、前記複数の上端接続点に対応する下端接続点と前記複数の導光領域を有し、前記複数の下端接続点と前記複数の上端接続点は前記複数のキー接続点として形成され、且つ、前記複数の導光領域がその底面上に設けられている下部回路基板と、
を含むことを特徴とする。
【００２０】
好ましい実施形態では、本発明に係る発光キーボードは、
前記薄膜スイッチ回路と前記発光モジュールに接続され、電源を前記薄膜スイッチ回路と前記発光モジュールに提供させるために用いられるメイン回路基板と、
前記薄膜スイッチ回路の下方に設けられ、複数の前記キーと前記薄膜スイッチ回路を搭載させるために用いられるベースと、
をさらに含むことを特徴とする。
【００２１】
好ましい実施形態では、すべての前記キーは、
前記発光キーボードの表面を被覆し、且つ、すべての前記導光領域に対応する透光領域を有するキーキャップと、
前記底板と前記キーキャップの間に位置され、前記透光中間フレームと前記キーキャップを接続させ、前記キーキャップが前記底板に対して上下に移動するようにさせるために用いられるはさみ式接合部材と、
前記薄膜スイッチ回路と前記キーキャップの間に位置され、前記キーキャップが押された時、押し縮められ前記薄膜スイッチ回路と当接させられ、前記上端接続点と前記下端接続点を接触させ、前記キーキャップが押されなくなった時、弾性力を前記キーキャップに提供し、前記キーキャップを元の位置に戻させる弾性体と、
を含むことを特徴とする。
【００２２】
好ましい実施形態では、前記発光モジュールは、
前記薄膜スイッチ回路の前記側面に位置され、別な電源を提供させるために用いられる発光回路基板と、
前記発光回路基板上に設けられ、且つ、前記別な電源により前記複数のビームを発生させる複数の発光部材と、
を含むことを特徴とする。
【発明の効果】
【００２３】
本発明によれば、ビームの光量を無駄にしない発光キーボードが得られる。
【図面の簡単な説明】
【００２４】
【図１】周知のキーボードの外観構造概略図である。
【図２】周知の発光キーボードの構造断面概略図である。
【図３】周知の発光キーボードの導光板の構造上面概略図である。
【図４】本発明に係る発光キーボードの好ましい実施形態を示す構造断面概略図である。
【図５】本発明に係る発光キーボードの薄膜スイッチ回路、導光板と発光モジュールの第一好ましい実施形態を示す構造分解概略図である。
【図６】本発明に係る発光キーボードの薄膜スイッチ回路、導光板と発光モジュールの第二好ましい実施形態を示す構造分解概略図である。
【図７】本発明に係る発光キーボードの第三好ましい実施形態を示す断面概略図である。
【図８】本発明に係る発光キーボードの薄膜スイッチ回路と発光モジュールの第三好ましい実施形態を示す構造分解概略図である。
【図９】本発明に係る発光キーボードの薄膜スイッチ回路と発光モジュールの第四好ましい実施形態を示す構造分解概略図である。
【発明を実施するための形態】
【００２５】
以下に図面を参照して本発明を実施するための形態について、詳細に説明する。なお、本発明は、以下に説明する実施形態に限定されるものではない。
【実施例１】
【００２６】
まず、本発明の第一好ましい実施形態について説明する。
本発明の発光キーボードは従来の問題に鑑みてなされたものである。図４は本発明に係る発光キーボードの好ましい実施形態を示す構造断面概略図である。発光キーボード３は複数のキー３０、薄膜スイッチ回路３１、導光板３２、発光モジュール３３、メイン回路基板３４、反射シート３５とベースを含む。キー３０はキーキャップ３０１、キーケース体３０２と弾性体３０３を含む。発光キーボード３では、上述の各部材は上から下の順番で、キーキャップ３０１、キーケース体３０２、弾性体３０３、薄膜スイッチ回路３１、導光板３２、反射シート３５とベース３６となっていて、発光モジュール３３は薄膜スイッチ回路３１の一側に位置され、メイン回路基板３４は薄膜スイッチ回路３１の別の一側に位置される。本実施形態では、発光キーボード３はデスクトップ型のパソコンのキーボードであり、且つ、薄膜スイッチ回路３１の一側とは薄膜スイッチ回路３１の上方側（ファンクションキーＦ１を有する側）であり、薄膜スイッチ回路３１の別の一側とは、薄膜スイッチ回路３１の下方側（スペースキーを有する側）である。
【００２７】
キー３０のうち、キーキャップ３０１は発光キーボード３の外に露呈されているので、ユーザーに押されることが可能で、キーキャップ３０１は透光領域３０１を有し、つまり、これは文字や符号がある位置である。キーケース体３０２はキーキャップ３０１と弾性体３０３を固定させるために用いられ、弾性体３０３はキーケース体３０２を貫くと共にキーキャップ３０１と薄膜スイッチ回路３１のそれぞれと接触する。本実施形態では、弾性体３０３は透光ゴムによって製造される。なお、薄膜スイッチ回路３１はメイン回路基板３４に接続され、電源と信号を伝達させる。
【００２８】
図５は本発明に係る発光キーボードの薄膜スイッチ回路、導光板と発光モジュールの第一好ましい実施形態を示す構造分解概略図である。薄膜スイッチ回路３１は上部回路基板３１１、仕切り層３１２と下部回路基板３１３を含む。上部回路基板３１１は複数の上端接続点３１１１を有し、仕切り層３１２は上部回路基板３１１の下方に位置され、複数の上端接続点３１１１に対応する複数の下端接続点３１３１を有し、複数の上端接続点３１１１と複数のキー接続点を形成させる。本好ましい実施形態では、上部回路基板３１１、仕切り層３１２と下部回路基板３１３はどれも透明な材質によって製造され、透明な材質とは、ポリカーボネート（Ｐｏｌｙｃａｒｂｏｎａｔｅ，ＰＣ）や、ポリエチレン（ｐｏｌｙｅｔｈｙｌｅｎｅ，ＰＥ）などの材質である。
【００２９】
図４と図５では、発光モジュール３３は発光回路基板３３１と複数の発光部材３３２を含み、発光回路基板３３１は薄膜スイッチ回路３１の一側に位置され、別な電源を複数の発光部材３３２に提供させるために用いられ、複数の発光部材３３２は発光回路基板３３１上に設けられると共に別な電源により複数のビームを発生させる。さらに、導光板３２は複数の導光領域３２１を有し、複数の導光領域３２１のうちの少なくとも一つの導光領域３２１上には導光構造３２１１があると共に、少なくとも一つの導光領域３２１は対応するキー接続点を隣接し、導光構造３２１１は複数のビームが複数のキー３０に投射させられるよう案内させるために用いられる。本好ましい実施形態では、発光回路基板３３１は硬式プリント基板（Ｒｉｇｉｄ  Ｐｒｉｎｔｅｄ  Ｃｉｒｃｕｉｔ，ＲＰＣ）であり、複数の発光部材３３２は側光式発光ダイオードである。さらに、複数の導光領域３２１は一対一でキー接続点に対応しておらず、かつ、導光構造３２１１は導光インクによって並べられる少なくとも一つの導光領域３２１上に形成される導光層であり、少なくとも一つの導光領域は導光層３２１１によって並べられ、隙間がないようにさせられる。なお、少なくとも一つの導光領域３２１と対応する導光層３２１１は長方形である。その他の好ましい実施形態では、発光回路基板３３１はフレキシブルプリント基板（Ｆｌｅｘｉｂｌｅ  Ｐｒｉｎｔｅｄ  Ｃｉｒｃｕｉｔ，ＦＰＣ）を採用してもよい。
【００３０】
ちなみに、第一に、複数の発光部材３３２は薄膜スイッチ回路３１の一側に設けられ、複数の発光部材３３２付近の場所では比較的大きい光量のビーム照射を受けるため、薄膜スイッチ回路３１付近の一側の複数のキー接続点の近くの場所では導光領域３２１を設ける必要がなく、かつ、大量のビームは対応するキー３０に投射され、これが発光効果を有するようにさせる。薄膜スイッチ回路３１付近の別な一側の複数のキー接続点の近くの場所に設けられる複数の導光領域３２１の面積は比較的大きく、薄膜スイッチ回路３１の一側と薄膜スイッチ回路３１の別な一側の間の複数のキー接続点が対応する複数の導光領域３２１の面積は複数の発光部材３３２の距離が遠くなるにつれ大きくなるため、発光キーボード３は均一な発光効果を有するようにさせられる。
もちろん、複数の発光部材３３２付近の導光領域は周知の導光メッシュを採用し、プリント方式で導光領域上に均一に分布させることができるが、導光構造は導光領域上に導光層を並べらせることのみを採用するように限定されるわけではない。第二に、導光層３２１１の形成工程と周知の導光メッシュはかなり類似している：長方形の穴を有する網板を導光板３２の底面３２２にかぶせ、導光インクを網板中に流し込み、導光インクが長方形の穴によって、導光板３２の底面３２２上に流れ込むようにさせる。さらに、導光インクに対して印刷プロセスを行い、導光インクがその底面３２２上に長方形の形をした導光層３２１１を形成するようにさせる。
導光層３２１１は導光インクによって並べられ長方形の穴を形成するため、複数の導光領域３２１のうちの少なくとも一つの導光領域３２１は導光層３２１１によって並べられ、隙間がない。第三に、複数の導光領域３２１は導光板３２の底面３２２上に位置されると共に、導光領域３２１は対応するキー接点と隣接し、キー接続点と重なり合わないので、導光領域３２１のうちのキー接続点に対応する位置には導光構造３２１１（つまり、導光層）を設けないため、複数のビームが導光層３２１１によって案内される時、キー接続点によってブロックされ無駄にされることがなく、ビーム使用率が低下しないようにさせる。
【００３１】
図４では、反射シート３５は導光板３２の下方に位置され、複数のビームを反射させるために用いられ、ベース３６は反射シート３５の下方に位置され、キーキャップ３０１、キーケース体３０２、弾性体３０３、薄膜スイッチ回路３１、導光板と反射シート３５を搭載させるために用いられる。
上述の発光キーボード３の構造からわかるように、キーキャップ３０１がユーザーによって押される時、キーキャップはキーケース体３０２に対応し上下に移動させられ、かつ、弾性体３０３はキーキャップ３０１によって押しこまれ、薄膜スイッチ回路３２と当接し、その上端接続点３１１１は対応する仕切り層開孔部３１２１に伸び込むようにさせられ、対応する下端接続点３１３１と接触し、信号が発生させられる。
キーキャップ３０１がユーザーによって押されなくなった時、押し縮められていた弾性体３０３は原状に戻り、弾性力をキーキャップ３０１に提供し、キーキャップ３０１が元の位置に戻るようにさせる。発光モジュール３３の複数の発光部材３３２が複数のビームを発生させる時、複数のビームは導光板３２中に入るように投射させられ、ビームの一部は導光板３２の複数の導光層３２１１によって案内され、キーキャップ３０１の透光領域に投射させられ、ビームの一部は導光板３２下方に位置される反射シート３５によって反射させられ、別な導光層３２１１に案内される。
【００３２】
上述からわかるように、本好ましい実施形態の導光層３２１１はどれも長方形であり、その周辺領域はその長方形の四辺である。周知の導光領域２２１上の複数の導光メッシュ２２１１と比べると、長方形の導光層３２１１は隙間がないため、導光層３２１１の周辺領域はその長方形の四辺であり、且つ、その周辺領域は周知の複数の導光メッシュ２２１１の周辺領域より小さく、したがって、本好ましい実施形態の導光層３２１１は長時間の接触によって消耗しにくい。これ以外に、本好ましい実施形態の導光層３２１１は長方形の形をしているため、その印刷プロセス過程で使用する網板は導光領域３２１と同じ大きさの長方形の穴を有すればよく、したがって、その印刷形成過程では導光インクは容易に長方形の穴の中に充填可能であり、且つ、印刷完成後、導光インクは長方形の穴を有する網板上に残留しにくい。
導光インクがその上に残留しやすい細かい穴を有する周知の網板と比較すると、周知の細かい穴を有する網板は導光インクが残留しやすいため、周知の細かい穴を有する網板を反復して使用する時、導光領域上に印刷させようとする導光インクの一部は網板上に残留している導光インクによって吸着され結合し、導光領域上に印刷される導光インク量が足りなくなり、その導光効果に影響を与えてしまう。本好ましい実施形態の導光層の印刷形成過程は比較的大きい長方形の穴を有するため、導光インクの残留しにくく、そのため、導光インクは導光領域上に並べられ、良好な導光効果を有し、且つ、その印刷形成過程の良品率が比較的高く、そのコストを下げることができる。
【実施例２】
【００３３】
次は、本発明の第二好ましい実施形態について説明する。
さらに、図６は本発明に係る発光キーボードの薄膜スイッチ回路、導光板と発光モジュールの第二好ましい実施形態を示す構造分解概略図である。第二好ましい実施形態の発光キーボード（図中では標示せず）と第一好ましい実施形態の相同な点は、どちらも複数のキー（図中では標示せず）、薄膜スイッチ回路４１、導光板４２、発光モジュール３２、メイン回路基板（図中では標示せず）、反射シート（図中では標示せず）とベース（図中では標示せず）を含む点である。
薄膜スイッチ回路４１は上部回路基板４１１、仕切り層４１２と下部回路基板４１３を含む。上部回路基板４１１は複数の上端接続点４１１１、上部回路基板４１１の下方に位置される仕切り層４１２を有すると共に、複数の上端接続点４１１１に対応する複数の仕切り層開孔部４１２１を有し、下部回路基板４１３は仕切り層４１２の下方に位置され、複数の上端接続点４１１１に対応する複数の下端接続点４１３１と複数の上端接続点４１１１は複数のキー接続点を形成させる。発光モジュール４３は発光回路基板４３１と複数の発光部材４３２を含み、発光回路基板４３１は薄膜スイッチ回路４１の一側に位置され、別な電源を複数の発光部材４３２に提供させるために用いられ、複数の発光部材４３２は発光回路基板４３１上に設けられ、別な電源により複数のビームを発生させる。
【００３４】
第一好ましい実施形態と異なる点は、本好ましい実施形態の導光板４２は複数の導光領域４２１と、対応する複数の別な導光領域４２２を有し、且つ、複数の導光領域４２１のうちの少なくとも一つの導光領域４２１上には導光構造４２１１があり、複数の別な導光領域４２２のうちの少なくとも一つの導光領域４２２上には別な導光構造４２２１があり、複数の導光領域４２１と複数の別な導光領域４２２は一対一でキー接続点に対応しているわけではなく、ここでは、垂直方向において、少なくとも一つの導光領域４２１と少なくとも一つの別な導光領域４２２の一部はキー接続点と重なり合っている。
【００３５】
ビーム使用率の低下を避けるため、少なくとも一つの導光領域４２１のうちのキー接続点に対応する位置（つまり、導光領域４２１とキー接続点が重なり合う位置）には導光構造４２１１を設けず、導光領域４２１にある導光構造４２１１中にキー接続点の一部に対応する切り口、つまり、四分の一の円の切り口、を形成させる。同様に、少なくとも一つの別な導光領域４２２のうちのキー接続点に対応する位置（つまり、導光領域４２２とキー接続点が重なり合う位置）には別な導光構造４２２１を設けず、別な導光領域４２２にある導光構造４２２１中にキー接続点の一部に対応する切り口、つまり、四分の一の円の切り口、を形成させ、図６に示すとおりである。本好ましい実施形態では、導光構造４２１１は導光インクが少なくとも一つの導光領域４２１上に並べられることによって形成される導光層であり、少なくとも一つの導光領域４２１は導光層４２１１によって並べられ隙間がなく、別な導光構造４２２１は導光インクが少なくとも一つの別な導光領域４２１上に均等に分布されることにより形成される導光メッシュである。
【実施例３】
【００３６】
次は、本発明の第三好ましい実施形態について説明する。
図７は本発明に係る発光キーボードの第三好ましい実施形態を示す断面概略図である。発光キーボード５は複数のキー５０、薄膜スイッチ回路５１、発光モジュール５２、メイン回路基板５３、反射シート５４と底板５５を含む。キー５０はキーキャップ５０１、はさみ式接合部材５０２と弾性体５０３を含む。発光キーボード５では、上述の各部材は上から下の順番で、キーキャップ５０１、はさみ式接合部材５０２、弾性体５０３、薄膜スイッチ回路５１、反射シート５４と底板５５であり、発光モジュール５２は薄膜スイッチ回路５１の一側に位置され、メイン回路基板５３は薄膜スイッチ回路５１の別な一側に位置される。本好ましい実施形態では、発光キーボード５はノート型コンピュータ用のキーボードであり、且つ、薄膜スイッチ回路５１の一側とは薄膜スイッチ回路５１の上方側（ファンクションキーＦ１を有する側）であり、薄膜スイッチ回路５１の別の一側とは、薄膜スイッチ回路５１の下方側（スペースキーを有する側）である。
【００３７】
キー５０のうち、キーキャップ５０１は発光キーボード５の外に露呈されているので、ユーザーに押されることが可能で、キーキャップ５０１は透光領域５０１１を有し、つまり、これは文字や符号がある位置である。はさみ式接合部材５０２はキーキャップ５０１と底板５５を接続させるために用いられ、弾性体５０３ははさみ式接合部材５０２を貫くと共にキーキャップ５０１と薄膜スイッチ回路５１のそれぞれと接触する。薄膜スイッチ回路５１はメイン回路基板５３に接続され、電源と信号を伝達させる。
【００３８】
図８は本発明に係る発光キーボードの薄膜スイッチ回路と発光モジュールの第三好ましい実施形態を示す構造分解概略図である。薄膜スイッチ回路５１は上部回路基板５１１、仕切り層５１２と下部回路基板５１３を含む。上部回路基板５１１は複数の上端接続点５１１１を有し、仕切り層５１２は上部回路基板５１１の下方に位置され、且つ、複数の上端接続点５１１１に対応する複数の仕切り層開孔部５１２１を有する。下部回路基板５１３は仕切り層５１２の下方に位置され、複数の上端接続点５１１１に対応する複数の下端接続点５１３１と複数の導光領域５１３２を有し、複数の下端接続点５１３１は複数の上端接続点５１１１と複数のキー接続点を形成させる。
複数の導光領域５１３２は薄膜スイッチ回路５１の底面（つまり、下部回路基板の底面５１３３）上に設けられ、複数の導光領域のうちの少なくとも一つの導光領域５１３２上には導光構造５１３２Ａがあり、かつ、少なくとも一つの導光領域５１３２は対応するキー接続点と隣接し、導光構造５１３２Ａは複数のビームが複数のキー５０に投射させられるよう案内させるために用いられる。ここでは、垂直方向上において、少なくとも一つの導光領域５１３２はキー接続点の一部と重なり合う。
【００３９】
本実施形態では、複数の導光領域５１３２は一対一でキー接続点と対応しておらず、且つ、導光構造５１３２Ａは導光インクが少なくとも一つの導光領域５１３２上に並べられることよって形成される導光層であり、少なくとも一つの導光領域５１３２は導光構造１３２Ａによって並べられ隙間がない。なお、少なくとも一つの導光領域５１３２と対応する導光構造１３２Ａは長方形である。上部回路基板５１１と仕切り層５１２はどれもポリカーボネートかポリエチレンなどの透明な材質によって製造され、下部回路基板５１３はポリカーボネート（Ｐｏｌｙｃａｒｂｏｎａｔｅ，ＰＣ）か、ポリメチル・メタクリレート（Ｐｏｌｙｍｅｔｈｙｌ  Ｍｅｔｈａｃｒｙｌａｔｅ，ＰＭＭＡ）などの導光材質によって製造される。導光構造１３２Ａの形成過程は下部回路基板５１３の底面５１３３上で導光インクの印刷プロセスを行うことであり、その動作状況は第一好ましい実施形態と完全に同じなので、記述を省略する。
【００４０】
ちなみに、第一に、上部回路基板５１１、仕切り板５１２と下部回路基板５１３上には、それぞれ底板５５によって貫かれる開孔部があるが、図面の簡潔さと導光層の見やすさのために、図８では前記これらの底板５５によって貫かれる開孔部を省略する。第二に、第二好ましい実施形態との相同な点は、ビーム使用率の低下を避けるために、少なくとも一つの導光領域５１３２のうちキー接続点に対応する位置（つまり、導光領域５１３２とキー接続点の重なり合う位置）には導光構造５１３２Ａを設けず、導光領域５１３２にある導光構造５１３２Ａにキー接続点の一部に対応する切り口、つまり、半円の切り口、を形成させ、図８に示すとおりである。これにより、ビームは十分に利用され、ビーム使用率は低下しない。
【００４１】
図７と図８では、発光モジュール５２は発光回路基板５２１と複数の発光部材５２２を含み、発光回路基板５２１は薄膜スイッチ回路５１の一側に位置されると共に、薄膜スイッチ回路５１に接続され、別な電源を複数の発光部材５２２に提供させるために用いられる。複数の発光部材５２２は発光回路基板５２１上に設けられ、別な電源により複数のビームを発生させる。本好ましい実施形態では、複数の発光部材５２２は側光式発光ダイオードであり、且つ、発光回路基板５２１はフレキシブルプリント基板である。
反射シート５４は薄膜スイッチ回路５１の下方に位置され、複数のビームを反射させるために用いられ、底板５５は反射シート５４の下方に位置されると共に、はさみ式接合部材５０２と接続され、キーキャップ５０１、はさみ式接合部材５０２、弾性体５０３、薄膜スイッチ回路５１と反射シート５４を搭載させるために用いられる。発光キーボード５の動作状況は第一好ましい実施形態と完全に同じであるため、ここでは説明をさらに加えない。もちろん、他の実施形態でも、発光回路基板５２１は硬式プリント基板を採用してもよい。
【００４２】
上述からわかるように、本好ましい実施形態の導光層５１３２Ａは第一好ましい実施形態と同様に摩耗しにくく、コストを下げることができるというメリットを有しており、さらに、本好ましい実施形態の導光層５１３２Ａは薄膜スイッチ回路５１の下部回路基板５１３の底面５１３３上に設けられるので、別途導光板を設ける必要がなく、発光キーボード５の内部の厚さを減らすことができ、且つ、発光キーボード５の内部構造を簡素化でき、その組み立てがより容易なだけでなく、その製造コストを下げることができる。
【実施例４】
【００４３】
次は、本発明の第四好ましい実施形態について説明する。
図９は本発明に係る発光キーボードの薄膜スイッチ回路と発光モジュールの第四好ましい実施形態を示す構造分解概略図である。第四好ましい実施形態の発光キーボード（図中では標示せず）と第三好ましい実施形態の相同な点は、複数のキー（図中では標示せず）、薄膜スイッチ回路６１、発光モジュール６２、メイン回路基板（図中では標示せず）、反射シート（図中では標示せず）とベース（図中では標示せず）を含む点である。薄膜スイッチ回路６１は上部回路基板６１１、仕切り層６１２と下部回路基板６１３を含み、上部回路基板６１１は複数の上端接続点６１１１を有し、仕切り層６１２は上部回路基板６１１の下方に位置され、且つ、複数の上端接続点６１１１に対応する複数の仕切り層開孔部６１２１を有する。下部回路基板６１３は仕切り層６１２の下方に位置され、複数の上端接続点６１１１に対応する複数の下端接続点６１３１と複数の導光領域６１３２を有し、複数の下端接続点６１３１は複数の上端接続点６１１１と複数のキー接続点を形成させる。その他の部材の構造と接続関係はどれも第三好ましい実施形態と完全に同じなので、説明を省略する。
【００４４】
本実施形態と第三好ましい実施形態の異なる点は、本好ましい実施形態の下部回路基板６１３では、複数の導光領域６１３２は薄膜スイッチ回路６１の底面（つまり、下部回路基板の底面６１３３）に設けられ、複数の導光領域６１３２のうちの少なくとも一つの導光領域６１３２上には導光構造６１３２Ａがあり、且つ、少なくとも一つの導光領域６１３２は対応するキー接続点の下方に位置され、導光構造６１３２Ａは複数のビームが複数のキーに投射されるよう案内させるために用いられ、垂直方向において、少なくとも一つの導光領域６１３２はキー接続点と重なり合い、図９に示すとおりである。
【００４５】
本好ましい実施形態では、複数の導光領域６１３２は一対一或いは一対多の方式でキー接続点に対応される。導光構造６１３２Ａは導光インクが少なくとも一つの導光領域６１３２に並べられることにより形成される導光層であり、少なくとも一つの導光領域６１３２は導光層６１３２Ａによって並べられ隙間がない。ビーム使用率の低下を避けるため、少なくとも一つの導光領域６１３２ではキー接続点に対応する位置（つまり、導光領域６１３２とキー接続点の重なり合う位置）には導光構造６１３２Ａを設けず、導光構造６１３２Ａは導光領域６１３２ではキー接続点に対応する開孔部、つまり、円形の開孔部、を形成させ、図９に示すとおりである。これによりビームは十分に利用され、ビーム使用率は低下しない。
【００４６】
まとめると、本発明の発光キーボードは主に導光構造を利用し、導光を行い、且つ、導光構造はキー接続点と重なり合わず、導光構造がビームを案内させる時、そのビームはキー接続点によってブロックされ、無駄にされることがないため、発光キーボードの発光効果とビーム使用率を確保することができる。
【００４７】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００４８】
１  キーボード
２、３、５  発光キーボード
１０、２０、３０、５０  キー
２１、３１、４１、５１、６１  薄膜スイッチ回路
２２、３２  導光板
２３、３３、５２、６２  発光モジュール
２４、３４、４３、５３  メイン回路基板
２５、３５、５４  反射シート
２６、３６  ベース
５５  底板
１０１  一般キー
１０２  数字キー
１０３  ファンクションキー
２０１、３０１、５０１  キーキャップ
２０２、３０２  キーケース体
２０３、３０３、４０３  弾性体
２２２、３２２  導光板の底面
２３１、３３１、４３１、５２１  発光回路基板
２３２、３３２、４３２、５２２  発光部材
４２２  別な導光領域
５０２  はさみ式接合部材
２０１１、３０１１、５０１１  透光領域
２２１１  導光メッシュ
３２１１、５１３２Ａ、６１３２Ａ  導光構造
４２２１  別な導光構造
Ｇ  隙間
５１３３、６１３３  下部回路基板の底面
２１１、３１１、４１１、５１１、６１１  上部回路基板
２１２、３１２、４１２、５１２、６１２  仕切り層
２１３、３１３、４１３、５１３、６１３  下部回路基板
２２１、３２１、４２１、５１３２、６１３２  導光領域
２１１１、３１１１、４１１１、５１１１、６１１１  上端接続点
２１２１、３１２１、４１２１、５１２１、６１２１  仕切り層開孔部
２１３１、３１３１、４１３１、５１３１、６１３１  下端接続点
【図１】
2013097780.tif 000003
【図２】
2013097780.tif 000004
【図３】
2013097780.tif 000005
【図４】
2013097780.tif 000006
【図５】
2013097780.tif 000007
【図６】
2013097780.tif 000008
【図７】
2013097780.tif 000009
【図８】
2013097780.tif 000010
【図９】
2013097780.tif 000011